【手続補正書】
【提出日】平成17年2月15日(2005.2.15)
【手続補正１】
【補正対象書類名】明細書
【補正対象項目名】全文
【補正方法】変更
【補正の内容】
【書類名】      明細書
【発明の名称】      発券装置
【特許請求の範囲】
【請求項１】
ロール体から巻き解かれた帯状体に所定事項が印刷された券片を発行する発券装置において、
複数のロール体と、
各ロール体からの第１帯状体及び第２帯状体がそれぞれ案内される第１案内ローラ及び第２案内ローラと、
該第１及び第２案内ローラから、帯状体への印刷を行う印刷手段への第１帯状体及び第２帯状体の第１搬送経路及び第２搬送経路に、各搬送経路における各帯状体の搬送方向に対して交差する方向に揺動可能に配置され、該揺動の一方終端位置では、該第１帯状体を挟持すると共に第２帯状体から離反し、該揺動の他方終端位置では、該第２帯状体を挟持すると共に第１帯状体から離反して、該印刷手段へ第１帯状体または第２帯状体のいずれかを切り換えて搬送する切換手段と、
前記切換手段に関して前記各搬送経路における搬送方向下流側に配置され、該切換手段の揺動動作に連動して揺動し、該切換手段が前記一方終端位置に移動したとき前記第２帯状体を保持し、該切換手段が前記他方終端位置に移動したとき前記第１帯状体を保持する交互保持手段を備える記載の発券装置。
【請求項２】
前記第１案内ローラ及び第２案内ローラに関して、前記搬送方向上流側にそれぞれ配置され、各帯状体を検出する第１検出手段及び第２検出手段と、該第１検出手段または第２検出手段が対応する帯状体を検出したとき、その検出出力に基づいて、対応する案内ローラを駆動して、該帯状体を少なくとも前記切換手段まで搬送させる制御手段とを備える請求項１に記載の発券装置。
【発明の詳細な説明】
【０００１】
【発明の属する技術分野】
本発明は、発券装置に関し、詳しくは表面に印刷が行われるロール紙を複数用いて発券動作を行う発券装置に関する。
【０００２】
【従来の技術】
各種交通機関の乗車券や娯楽施設の入場券、或いは食堂の食券などを発行するために発券装置が用いられている。このような各種券片は、発券装置内部に収納されたロール紙に印刷されるが、ロール紙を使い切ると、管理者がこれを検知して新規なロール紙と交換する必要があり、その期間、利用者が利用できないことになる。このような不都合を解消するために、図１２に示されるような複数のロール紙を用いる従来技術の発券装置１が使用されている。
【０００３】
以下、図１２を参照して、発券装置１について説明する。発券装置１は、一対のロール紙２，３を内蔵し、各ロール紙２，３から巻き解かれた各帯状紙４ａ，４ｂ（総称する場合は符号４で示す）が、一対のフィード機構６，７を介して案内機構８に搬送される。フィード機構６，７は、上ローラ９及び下ローラ１０を備え、上ローラ９及び下ローラ１０の間に相当する帯状紙４ａ，４ｂの間に、切換ローラ１１が配置される。切換ローラ１１は手動により上ローラ９或いは下ローラ１０に交互に圧接されるように揺動され、その動作位置が切り換えられる。本従来技術では、下ローラ１０に同軸にギア１２が固定され、このギア１２にモータ１３からの回転が伝達される。下ローラ１０の回転は前記上ローラ９にも伝達される。
【０００４】
前記案内機構８は、駆動ローラ１４と、駆動ローラ１４に付勢手段１５によって圧接される圧接ローラ１６とを備える。帯状紙４ａ，４ｂの図１２に示される搬送方向Ａ１に関して、前記案内機構８の下流側にカッタ１７と印字ヘッド１８とが配置される。印字ヘッド１８付近の帯状紙４はプラテンローラ１９によって印字ヘッド１８に圧接され、前記案内機構８の駆動ローラ１４及びプラテンローラ１９はモータ２０によって回転駆動される。
【０００５】
このような発券装置１において、例として、ロール紙２から巻き解かれた帯状紙４ａは、フィード機構７によって案内機構８に搬送される。このとき、切換ローラ１１は、これから使用しようとする帯状紙４ｂ側に切り換えられている。案内機構８で案内される帯状紙４ａは、カッタ１７で所定長さに切断された後、印字ヘッド１８で所定事項が印字され所定の券片として発行される。
【０００６】
また、ロール紙４ａが使用し尽くされた場合、管理者はロール紙３からの帯状紙４ｂの先端をフィード機構６の上ローラ９と切換ローラ１１との間に挟み、切換ローラ１１の動作位置を前述したように手動で上ローラ９側に切り換える。
【０００７】
【発明が解決しようとする課題】
従来技術の発券装置１においては、２つのロール紙２，３を内蔵しているものの、ロール紙２，３のいずれか使用中でない側は単なる補充用であり、ロール紙２，３の任意の側を用いて発券動作を行うことができないので、使用性が低いという問題点がある。
【０００８】
また、使用するロール紙２，３を切り換える場合、前述したように補充用のロール紙の先端を手動でフィード機構６，７まで搬送した後、やはり手動で切換ローラ１１の動作位置を切り換える必要があり、使用するロール紙２，３を切り換える動作に手間を要し使用性が低いという問題点を有している。
【０００９】
本発明は、上記問題点を解決しようとして成されたものであり、簡便な構成によって使い勝手が格段に向上された発券装置を提供することである。
【００１０】
【課題を解決するための手段】
請求項１の発明は、ロール体から巻き解かれた帯状体に所定事項が印刷された券片を発行する発券装置において、複数のロール体と、各ロール体からの第１帯状体及び第２帯状体がそれぞれ案内される第１案内ローラ及び第２案内ローラと、第１及び第２案内ローラから、帯状体への印刷を行う印刷手段への第１帯状体及び第２帯状体の第１搬送経路及び第２搬送経路に、各搬送経路における各帯状体の搬送方向に対して交差する方向に揺動可能に配置され、該揺動の一方終端位置では、該第１帯状体を挟持すると共に第２帯状体から離反し、該揺動の他方終端位置では、該第２帯状体を挟持すると共に第１帯状体から離反して、該印刷手段へ第１帯状体または第２帯状体のいずれかを切り換えて搬送する切換手段と、前記切換手段に関して前記各搬送経路における搬送方向下流側に配置され、該切換手段の揺動動作に連動して揺動し、該切換手段が前記一方終端位置に移動したとき前記第２帯状体を保持し、該切換手段が前記他方終端位置に移動したとき前記第１帯状体を保持する交互保持手段を備える発券装置である。
【００１１】
請求項２記載の発明は、前記第１案内ローラ及び第２案内ローラに関して、前記搬送方向上流側にそれぞれ配置され、各帯状体を検出する第１検出手段及び第２検出手段と、該第１検出手段または第２検出手段が対応する帯状体を検出したとき、その検出出力に基づいて、対応する案内ローラを駆動して、該帯状体を少なくとも前記切換手段まで搬送させる制御手段とを備える請求項１に記載の発券装置である。
【００１２】
【作  用】
本発明に従えば、複数のロール体から巻き解かれた第１及び第２帯状体は、それぞれ第１案内ローラ及び第２案内ローラで案内される。第１及び第２案内ローラで案内される第１及び第２帯状体は、切換手段を介して印刷手段へ搬送される。ここで、揺動動作を行う切換手段の一方終端位置において、切換手段は第１帯状体を挟持すると共に第２帯状体から離反し、揺動の他方終端位置において、切換手段は第２帯状体を挟持すると共に第１帯状体から離反して、印刷手段へ第１帯状体または第２帯状体のいずれかを切り換えて搬送する。
【００１３】
従って、本発明においては、複数のロール体からの各帯状紙を、切換手段の揺動動作位置を前記一方終端位置と他方終端位置との間で切り換えることにより、任意の一方を用いて印刷を行うことができる。また、前記切換手段の揺動動作を電気的に制御すれば、複数のロール体を任意枚数の発券動作毎に交互に切り換えるなどの動作が可能になる。これにより、発券装置の使用性が格段に向上されることになる。
【００１４】
また、交互保持手段を用いる場合、交互保持手段は、切換手段の揺動動作に連動して揺動する。前記切換手段が一方終端位置に移動したとき、交互保持手段は第２帯状体を保持し、切換手段が他方終端位置に移動したとき、交互保持手段は第１帯状体を保持する。
【００１５】
これにより、切換手段が一方終端位置に移動して第１帯状体を挟持すると共に第２帯状体から離反しているとき、交互保持手段が第２帯状体を保持する。一方、切換手段が他方終端位置に移動して第２帯状体を挟持すると共に第１帯状体から離反しているとき、交互保持手段が第１帯状体を保持する。即ち、切換手段で印刷のために用いられていない帯状体が、交互保持手段で保持されるので、次に、交互保持手段で保持されていた帯状体を印刷に用いようとするときに、交互保持手段で保持されていた帯状体の印刷に関する位置ずれを生じない。
【００１６】
これにより、第１及び第２帯状体を相互に切り換えて使用する場合でも、両者とも印刷に関する位置ずれが発生しないので、両方の帯状体を、同一の帯状体を使用しているように印刷することが可能になり、この点でも、本発明の発券装置の使用性が向上される。
【００１７】
また、請求項２記載の発券装置において、第１検出手段、第２検出手段及び制御手段を用いる場合、複数のロール体からの第１帯状体及び第２帯状体を、第１案内ローラ及び第２案内ローラに向けて第１検出手段及び第２検出手段を通過させると、第１検出手段及び第２検出手段は各帯状体を検出する。制御手段は、この第１検出手段または第２検出手段の検出出力に基づいて、対応する案内ローラを駆動して、帯状体を少なくとも切換手段まで搬送させる。
【００１８】
切換手段に到達した帯状体に対して、前述したように切換手段によっていずれか任意の一方が選択されて印刷が行われる。即ち、本発明の発券装置において、帯状体に関してオートローディング機能が実現され、ロール体の発券装置への収納後にロール体を印刷可能状態に設定する作業の手間と労力とが格段に改善される。
【００１９】
【発明の実施の形態】
本発明を実施例について以下に説明する。
【００２０】
図１〜図１１は本発明の一実施例を示し、図１は本発明の一実施例の発券装置２１の一部の断面図であり、図２は発券装置２１の正面図であり、図３は発券装置２１全体の断面図であり、図４は発券装置２１の切換機構の平面図であり、図５は切換機構の一方動作状態の正面図であり、図６は切換機構の他方動作状態の正面図であり、図７は切換機構の他の部分の平面図であり、図８は切換機構の他の部分の正面図であり、図９は発券装置２１の電気的構成を示すブロック図であり、図１０は本実施例の動作例を示すフローチャートであり、図１１は切換機構の動作状態を示す正面図である。
【００２１】
以下、図２及び図３を参照して、発券装置２１の全体の構成について説明する。発券装置２１は、ハウジング２２の前面に紙幣挿入口２３、硬貨投入口２４、投入された貨幣の金額などを表示する表示部２５、釣銭が発生した場合に釣銭の払い出しを要求するために操作される釣銭返却レバー２６、各種交通機関の乗車券や娯楽施設の入場券、或いは食堂の食券などの発券装置２１が発行する券片の種類や各種類毎の一括購入できる枚数などを入力するための複数の選択ボタン２７、釣銭返却口２８及び券片の取出口２９が設けられている。
【００２２】
一方、発券装置２１の内部の下方側には、図３に示されるように、上下に配置された一対のロール紙３０，３１が備えられる。各ロール紙３０，３１の先端は巻ほどかれ、帯状紙３２ａ，３２ｂ（総称する場合は符号３２で示す）が切換装置３３と交互保持機構３４とを備える切換機構３５を介して、印字ヘッド３６とヘッドローラ３７との間に案内される。印字済みの帯状紙３２は、カッタ３８で所定長さに切断され、搬出ローラ３９で発券装置２１の機外に搬出される。後述するように、ロール紙３０，３１のいずれを先に使用し、いずれを補充用とするかは任意に選択され得るものである。
【００２３】
以下、図１及び図４〜図８を参照して、発券装置２１の構成の詳細について説明する。前記一対のロール紙３０，３１から巻き解かれた帯状紙３２ａ，３２ｂは上方に延びて、下通路４０及び上通路４１がそれぞれ形成されたガイドフレーム４２内に挿入される。ガイドフレーム４２の下通路４０及び上通路４１における上流側には、例として、フォトインタラプタなどからなる紙センサ４３，４４が配置される。ガイドフレーム４２内で前記各通路４０，４１に亘って前記切換機構３５が設けられる。
【００２４】
切換機構３５の構成例は、図１及び図４〜図８に示されている。切換機構３５に備えられる切換装置３３は、切換モータ４５を備え、切換モータ４５の回転は回転体４６に伝達され、回転体４６は図１、図５、図６の紙面と垂直方向の軸線周りに双方向に回転駆動される。回転体４６には、回転中心から半径方向に変位した位置に突起４７が設けられている。突起４７は、揺動レバー４８に設けられた長溝４９に係合される。
【００２５】
前記ガイドフレーム４２は、それぞれ上下方向に延びる相互に平行な一対の縦パネル５０，５１を備え、縦パネル５０，５１間に、前記揺動レバー４８が縦パネル５０の外側に揺動自在に装着される軸５２が固定される。揺動レバー４８は、ほぼ数字の７字状をなす略矩形板状であって、前記長溝４９が形成されている長板部５３と、長板部５３の一方端から側方に延びる突出部５４とを備えている。長板部５３の前記一方端部付近には、長板部５３の延びる方向に沿って突出する突起５５と、前記突出部５４とほぼ反対側に延びる突起５６とが、相互に略Ｙ字状となるように形成されている。
【００２６】
前記軸５２の縦パネル５０，５１間には、プラテンローラ５７，５８をそれぞれ保持するための保持部材５９，６０が、相互に軸５２に対して揺動自在にそれぞれ設けられる。保持部材５９は、プラテンローラ５７を回転自在に支持する軸６１を有し、縦パネル５０，５１の間に軸５２に対して回動自在に設けられる保持部６３と、保持部６３の前記軸５２の挿通位置に関して軸６１と反対側の位置から上方に延びる連結部６４と、連結部６４の端部から、例として縦パネル５０側に、縦パネル５０を貫通して延びる係合突部６５とをそれぞれ備える。保持部材６０は、プラテンローラ５８を回転自在に支持する軸６２を有し、縦パネル５０，５１の間に軸５２に対して回動自在に設けられる保持部６６と、各保持部６６の前記軸５２の挿通位置に関して軸６２と反対側の位置から斜め下方に延びる連結部６７と、連結部６７の端部から、例として縦パネル５０側に、縦パネル５０を貫通して延びる係合突部６８とをそれぞれ備える。保持部材５９，６０の間の軸５２にはコイルバネ６９が設けられ、コイルバネ６９の両端は、各保持部材５９，６０の連結部６４，６７に相互に外側でそれぞれ係合して、各プラテンローラ５７，５８が相互に離間するようにバネ付勢している。
【００２７】
以下、図７及び図８を併せて参照する。前記切換装置３３には、プラテンローラ５７，５８がそれぞれ当接可能な上ゴムローラ７０と下ゴムローラ７１とが備えられている。各ゴムローラ７０，７１の回転軸７２，７４は、ガイドフレーム４２の前記縦パネル５０，５１に回転自在に支持される。回転軸７２の縦パネル５０を貫通して突出した部分にギア７３が同軸に固定され、回転軸７４の縦パネル５０を貫通して突出した部分に大径のギア７５及び小径のギア７６が同軸に固定される。前記ギア７３，７５は相互に噛み合うように配置される。また、ギア７６にはステッピングモータ７７の回転がタイミングベルト７８によって伝達される。
【００２８】
このような構成を有する切換装置３３に関して、帯状紙３２ａ，３２ｂの搬送方向下流側に配置される前記交互保持機構３４は、図７及び図８に示されるような保持ゴム７９，８０を備えている。上側の保持ゴム７９はその上方に配置された支持板８１に、下側の保持ゴム８０はその下方に配置された支持板８２にそれぞれ固定されている。支持板８１，８２の各一端は、縦パネル５１に形成された溝（図示せず）に角変位可能に挿入される。支持板８１は下方への移動時の終端位置（図８に実線で示す）が、支持板８２は上方への移動時の終端位置（図８に二点鎖線で示す）が、例として縦パネル５０によってそれぞれ規定される。各支持板８１，８２の縦パネル５０から外方に突出した各端部の間にはスプリング８３が連結され、支持板８１，８２を相互に近接する方向にバネ付勢する。これら保持ゴム７９，８０の間には上通路４１及び下通路４０を規定するガイド部材８４，８５が、縦パネル５０，５１の間に亘って設けられる。ガイド部材８４は、図１、図５及び図６の左右方向に延び、左方端部にはガイド部材８５の一端部が一体に連結され、ガイド部材８５はガイド部材８４との連結位置から斜め下方に傾斜して延びている。
【００２９】
支持板８１，８２の縦パネル５０から外方に突出した各端部の間には、揺動レバー４８の前記突出部５４の先端付近が配置され、後述する揺動レバー４８の揺動動作によって、支持板８１，８２が交互に突出部５４によって上方へ或いは下方へ押圧される。支持板８１が突出部５４によって上方へ押圧されると、支持板８１とスプリング８３で連結されている支持板８２は、スプリング８３のバネ力で上方に弾発的に引き上げられる。支持板８２が突出部５４によって下方へ押圧されるとき、支持板８２とスプリング８３で連結されている支持板８１は、スプリング８３のバネ力で下方に弾発的に引き下げられる。ここで、前記スプリング８３は保持ゴム７９，８０によるガイド部材８４，８５への各押圧方向に対して、それぞれ傾斜した方向に延びて装着されている。
【００３０】
このような構成を有する切換機構３５に関して、帯状紙３２の搬送方向下流側には、軸９２の周りに角変位自在に設けられたフレーム８６に固定された印字ヘッド３６が配置される。印字ヘッド３６に対向してヘッドローラ３７が配置される。フレーム８６はフレーム８９に角変位自在に連結され、フレーム８９は軸９０の周りに角変位自在に設けられる。フレーム８９の軸９０に関して印字ヘッド３６と反対側には電磁ソレノイド９１が角変位自在に連結される。電磁ソレノイド９１に通電／遮断されると、フレーム８９が軸９０の周りに揺動し、これに連動してフレーム８６が軸９２の周りに角変位し、印字ヘッド３６がヘッドローラ３７に対して近接／離反変位する。ヘッドローラ３７には同軸にギア９３が連結され、ギア９３は前記ステッピングモータ７７によって走行駆動されるタイミングベルト７８によって回転駆動される。印字ヘッド３６に関して前記搬送方向下流側には、カッタ３８が配置されている。カッタ３８よりも更に下流側には前述した搬送ローラ３９が配置される。搬送ローラ３９は一対のローラ９４，９５を備え、ローラ９５はモータ９６によって回転駆動される。
【００３１】
以下、図９を参照して、発券装置２１の電気的構成について説明する。発券装置２１は、例としてマイクロコンピュ−タを含んで構成される制御部９７を有しており、該制御部９７に前記印字ヘッド３６、紙センサ４３，４４、切換モータ４５、ステッピングモータ７７、電磁ソレノイド９１及びモータ９６が接続されている。また、発券装置２１の前面に配置されている表示部２５、釣銭返却レバー２６、選択ボタン２７、挿入された紙幣の真贋や券種の判定、紙幣の受け入れなどを行うビルバリ９８、投入された硬貨の真贋、種類などを判別するコインメック９９などが接続されている。
【００３２】
以下、図１０及び図１１を併せて参照して、発券装置２１の動作について説明する。以下の説明では、発券装置２１に新規な一対のロール紙３０，３１を装填する場合を説明し、続いて、ロール紙３０，３１の一方が用紙切れとなった場合を説明する。発券装置２１に、補充用として例としてロール紙３１を装填し、後述する発券前処理が終了すると、ロール紙３０を装填する。ロール紙３１から巻き解かれた帯状紙３２ｂの先端を、紙センサ４３を通過させて、前述した下通路４０に挿入する。図１０のステップａ１で、前記制御部９７は各紙センサ４３，４４からの紙検出信号が、帯状紙３２ａ，３２ｂを検出しないＯＦＦ状態から、紙を検出したＯＮ状態に切り替わる変化を検知するまで待機する。本例では、前記帯状紙３２ｂが最初に検出される。ステップａ１の判断が肯定になると、ステップａ２で制御部９７は、切換モータ４５を駆動して回転体４６を図５の矢符Ａ１方向に所定角度角変位させ、突起４７を図５の破線で示す位置から実線で示す位置に移動させる。これにより、切換レバー４８は図１の実線で示す姿勢から二点鎖線で示す姿勢に切り替わる。
【００３３】
これにより、切換レバー４８は図５の矢符Ｂ１で示す方向に角変位し、切換レバー４８の突起５５が保持部材５９の係合突起６５を押し上げ、保持部材５９を図５の矢符Ｂ１方向に角変位させる。保持部材５９，６０は、コイルバネ６９で前述したように連結されているので、他方の保持部材６０もコイルバネ６９のバネ力で図５矢符Ｂ１方向に角変位される。プラテンローラ５８が下ゴムローラ７１に圧接された状態で切換モータ４５の回転が停止される。
【００３４】
また、切換レバー４８の上記の角変位動作によって、図５及び図８に示されるように、切換レバー４８の突出部５４が支持板８２を下方に押し下げる。支持板８１，８２は相互にスプリング８３で連結されているので、支持板８１もスプリング８３のバネ力によって下方に引き下げられる。これにより、交互保持機構３４において図５に示されるように、保持ゴム７９は上通路４１においてガイド部材８４に圧接され、保持ゴム８０は下通路４０から離反する。このときの切換機構３５の状態は図１１（１）に示されている。
【００３５】
次に、ステップａ３において、ステッピングモータ７７を回転駆動する。これにより、タイミングベルト７８が走行駆動され、前記各ゴムローラ７０，７１及びヘッドローラ３７が回転される。従って、帯状紙３２ｂの先端を下通路４０に沿って切換機構３５まで差し込んだとき、帯状紙３２ｂの先端は、プラテンローラ５８と下ゴムローラ７１とに挟まれて搬送される。ステップａ４では、制御部９７は、ステッピングモータ７７の回転量から、帯状紙３２ｂの先端が図１に示される待機位置Ｐ１まで到達する予め定める距離だけ送った後待機させる。ステップａ４の判断が肯定になると、ステッピングモータ７７の回転が停止され、発券処理に移行する。この移行への動作の切換は、例として、ロール紙３０，３１の装填のために開放していたハウジング２２の前面蓋などを閉じる動作を、スイッチなどで検出することによって行っても良い。
【００３６】
一方、前記ロール紙３１に続いて、先に使用されることになるロール紙３０を装填して帯状紙３２ａを巻き解き、その先端を紙センサ４４を通過させて、前述した上通路４１に挿入する。これ以降、前記ステップａ１〜ａ４と同一の処理が、帯状紙３２ａに関して実行され、切換レバー４８は図１の二点鎖線で示す姿勢から実線で示す姿勢に切り替わる。このときの切換機構３５の中間的状態は、図１１（２）に示されている。
【００３７】
これにより、切換レバー４８は図６の矢符Ｂ２で示す方向に角変位し、切換レバー４８の突起５６が保持部材６０の係合突起６８を押し下げ、保持部材６０を図６の矢符Ｂ２方向に角変位させる。保持部材５９，６０は、コイルバネ６９で連結されているので、他方の保持部材５９もコイルバネ６９のバネ力で図６矢符Ｂ２方向に角変位される。プラテンローラ５７が上ゴムローラ７０に圧接された状態で切換モータ４５の回転が停止される。
【００３８】
更に、切換レバー４８の上記の角変位動作によって、図６及び図８に示されるように、切換レバー４８の突出部５４が支持板８１を上方に押し上げる。支持板８１，８２は相互にスプリング８３で連結されているので、支持板８２もスプリング８３のバネ力によって上方に引き上げられる。これにより、交互保持機構３４において図６に示されるように、保持ゴム８０は下通路４０においてガイド部材８５に圧接され、保持ゴム７９は上通路４１から離反する。これにより、前記下通路４０の帯状紙３２ｂは、保持ゴム８０とガイド部材８５とに挟まれて搬送方向に関する位置が固定される。一方、上通路４１では、帯状紙３２ａが搬送可能となる。このときの切換機構３５の状態は図１１（３）に示されている。
【００３９】
次に、ステッピングモータ７７を回転駆動すると、タイミングベルト７８が走行駆動され、前記各ゴムローラ７０，７１及びヘッドローラ３７が回転される。従って、帯状紙３２ａの先端を上通路４１に沿って切換機構３５まで差し込んだとき、帯状紙３２ａの先端は、プラテンローラ５７と上ゴムローラ７０とに挟まれて搬送される。このとき、下通路４０において、下ゴムローラ７１が回転しているが、帯状紙３２ｂは前述したように保持ゴム８０とガイド部材８５とに挟まれて印字上の位置ずれを生じない。また、印字ヘッド３６が感熱印字ヘッドであり帯状紙３２ａ，３２ｂが感熱紙である場合でも、下ゴムローラ７１は帯状紙３２ｂの印字面である図１における上面と反対側の下面側で回転するので、下ゴムローラ７１と帯状紙３２ｂとの摩擦熱で帯状紙３２ｂが発色して汚損される事態が防止される。
【００４０】
制御部９７が、ステッピングモータ７７を、帯状紙３２ａの先端が図１に示される待機位置Ｐ１まで到達する予め定める距離だけ搬送されるまで回転させる。帯状紙３２ａが前記予め定める距離だけ搬送されると、ステッピングモータ７７の回転が停止され、発券処理への移行が所定の切換動作で行われれる。前述したように、ロール紙３０，３１の装填が完了して、発券処理への移行を切り換える動作が行われると、ロール紙３０からの帯状紙３２ａに対して所定の発券処理が実行される。
【００４１】
発券動作中にロール紙３０を使用し尽くして紙切れ状態となると、制御部９７は、切換モータ４５を駆動して、切換レバー４８を図１の実線で示す姿勢から二点鎖線で示す姿勢へ切り換える。これにより、プラテンローラ５７は上ゴムローラ７０から離反し、プラテンローラ５８が下ゴムローラ７１に圧接され、帯状紙３２ｂを搬送する。また、保持ゴム７９はガイド部材８４に圧接され、保持ゴム８０は下通路４０から離反する。これにより、補充用のロール紙３１によって印刷が継続される。
【００４２】
このとき、ロール紙３１からの帯状紙３２ｂは保持ゴム８０とガイド部材８５との間で搬送方向に関する位置を固定されて保持されていたので、前記ロール紙３０からロール紙３１に切り替わっても、ロール紙３０で印刷されていた券片と印字位置が同一の券片を発行することができる。
【００４３】
また、スプリング８３は、保持ゴム７９，８０のガイド部材８４，８５への押圧方向に対してそれぞれ傾斜した方向に装着されているので、ガイド部材８４，８５の縦パネル５０，５１への前述した角変位を許容する取付状態に関して、取付ガタの発生を防止し、保持ゴム７９，８０による前述した帯状紙３２ａ，３２ｂの保持動作に関して、印刷上の位置ずれの発生を防止している。
【００４４】
本発明は上記実施例に限定されるものではなく、本発明の精神を逸脱しない範囲で、広範な変形例を含むものである。
【００４５】
【発明の効果】
本発明の発券装置を用いることにより、以下の効果を奏することができる。複数のロール体から巻き解かれた第１及び第２帯状体は、それぞれ第１案内ローラ及び第２案内ローラで案内される。第１及び第２案内ローラで案内される第１及び第２帯状体は、切換手段を介して印刷手段へ搬送される。ここで、揺動動作を行う切換手段の一方終端位置において、切換手段は第１帯状体を挟持すると共に第２帯状体から離反し、揺動の他方終端位置において、切換手段は第２帯状体を挟持すると共に第１帯状体から離反して、印刷手段へ第１帯状体または第２帯状体のいずれかを切り換えて搬送する。
【００４６】
従って、本発明においては、複数のロール体からの各帯状紙を、切換手段の揺動動作位置を前記一方終端位置と他方終端位置との間で切り換えることにより、任意の一方を用いて印刷を行うことができる。また、前記切換手段の揺動動作を電気的に制御すれば、複数のロール体を任意枚数の発券動作毎に交互に切り換えるなどの動作が可能になる。これにより、発券装置の使用性が格段に向上されることになる。
【００４７】
また、本発明の発券装置において、交互保持手段を用いる場合、交互保持手段は、切換手段の揺動動作に連動して揺動する。前記切換手段が一方終端位置に移動したとき、交互保持手段は第２帯状体を保持し、切換手段が他方終端位置に移動したとき、交互保持手段は第１帯状体を保持する。
【００４８】
これにより、切換手段が一方終端位置に移動して第１帯状体を挟持すると共に第２帯状体から離反しているとき、交互保持手段が第２帯状体を保持する。一方、切換手段が他方終端位置に移動して第２帯状体を挟持すると共に第１帯状体から離反しているとき、交互保持手段が第１帯状体を保持する。即ち、切換手段で印刷のために用いられていない帯状体が、交互保持手段で保持されるので、次に、交互保持手段で保持されていた帯状体を印刷に用いようとするときに、交互保持手段で保持されていた帯状体の印刷に関する位置ずれを生じない。
【００４９】
これにより、第１及び第２帯状体を相互に切り換えて使用する場合でも、両者とも印刷に関する位置ずれが発生しないので、両方の帯状体を、同一の帯状体を使用しているように印刷することが可能になり、この点でも、本発明の発券装置の使用性が向上される。
【００５０】
また、本発明の発券装置において、第１検出手段、第２検出手段及び制御手段を用いる場合、複数のロール体からの第１帯状体及び第２帯状体を、第１案内ローラ及び第２案内ローラに向けて第１検出手段及び第２検出手段を通過させると、第１検出手段及び第２検出手段は各帯状体を検出する。制御手段は、この第１検出手段または第２検出手段の検出出力に基づいて、対応する案内ローラを駆動して、帯状体を少なくとも切換手段まで搬送させる。
【００５１】
切換手段に到達した帯状体に対して、前述したように切換手段によっていずれか任意の一方が選択されて印刷が行われる。即ち、本発明の発券装置において、帯状体に関してオートローディング機能が実現され、ロール体の発券装置への収納後にロール体を印刷可能状態に設定する作業の手間と労力とが格段に改善される。
【図面の簡単な説明】
【図１】
本発明の一実施例の発券装置２１の一部の断面図である。
【図２】
発券装置２１の正面図である。
【図３】
発券装置２１全体の断面図である。
【図４】
発券装置２１の切換機構３５の平面図である。
【図５】
切換機構３５の一方動作状態の正面図である。
【図６】
切換機構３５の他方動作状態の正面図である。
【図７】
切換機構３５の交互保持機構３４付近の平面図である。
【図８】
切換機構３５の他の部分の側面図である。
【図９】
発券装置２１の電気的構成を示すブロック図である。
【図１０】
本実施例の動作例を示すフローチャートである。
【図１１】
切換機構３５の動作状態を示す正面図である。
【図１２】
従来技術の発券装置１の系統図である。
【符号の説明】
２１ 発券装置
３０，３１ ロール紙
３２ａ，３２ｂ 帯状紙
３３ 切換装置
３４ 交互保持機構
３５ 切換機構
３６ 印字ヘッド
４０ 下通路
４１ 上通路
４２ ガイドフレーム
４３，４４ 紙センサ
４５ 切換モータ
４６ 回転体
４７ 突起
４８ 揺動レバー
４９ 長溝
５０，５１ 縦パネル
５４ 突出部
５５，５６ 突起
５７，５８ プラテンローラ
５９，６０ 保持部材
６４，６７ 連結部
６５，６８ 係合突部
６９ コイルバネ
７０ 上ゴムローラ
７１ 下ゴムローラ
７７ ステッピングモータ
７９，８０ 保持ゴム
８１，８２ 支持板
８３ スプリング
８４，８５ ガイド部材
【手続補正２】
【補正対象書類名】図面
【補正対象項目名】図１
【補正方法】変更
【補正の内容】
【図１】
1999250287.tif 000001
【手続補正３】
【補正対象書類名】図面
【補正対象項目名】図３
【補正方法】変更
【補正の内容】
【図３】
1999250287.tif 000002
【手続補正４】
【補正対象書類名】図面
【補正対象項目名】図４
【補正方法】変更
【補正の内容】
【図４】
1999250287.tif 000003
【手続補正５】
【補正対象書類名】図面
【補正対象項目名】図５
【補正方法】変更
【補正の内容】
【図５】
1999250287.tif 000004